(57)【要約】      （修正有）【課題】カムの凸状部の突出量を大きくしても、プレスバネの伸張量の増加に起因するプレスバネの劣化を抑制することができるプレスローラ回避装置を提供する。【解決手段】プレスローラ回避装置は、第１カム１３と、第１カムフォロア１４と、プレスバネ１５と、第１カムフォロア１４が第１カム１３の凸状部１３ｂに押し出されることによりプレスバネ１５の先端１５ａを移動させつつプレスローラをドラム１０から離間させるプレスレバー１６と、第１カム１３と連動して回転する第２カム２１と、第２カムフォロア２３と、第２カムフォロア２３の第２カム２１の凹状部２１ｂとの当接時にプレスバネ１５の基端１５ｂをプレスバネの先端１５ａに向けて移動させるバネ調整用レバー２４とを備え、第１カムフォロア１４が第１カム１３の凸状部１３ｂの頂部に当接する際、第２カムフォロア２３が第２カム２１の凹状部２１ｂの内部に当接する。【選択図】図２
2017213706.tif 000002
【特許請求の範囲】
【請求項１】
マスタが巻装されるドラムと、前記マスタを前記ドラムに固定するためのクランプ部と、前記ドラムに印刷用紙を押圧するプレスローラと、を備える孔版印刷装置に設けられ、前記プレスローラの押圧位置を前記クランプ部が通過する期間、前記プレスローラを前記ドラムから離間させるプレスローラ回避装置であって、
第１主要円部と前記第１主要円部の外周面から突出する凸状部とを有しており、前記第１主要円部の中心を軸に前記ドラムの回転に連動して回転する第１カムと、
前記第１カムの前記第１主要円部又は前記凸状部の外周面に当接しながら移動する第１カムフォロアと、
所定のバネ力により前記第１カムフォロアを前記第１カムの外周面に付勢するとともに、前記プレスローラを前記ドラムに付勢するプレスバネと、
前記プレスローラを回転自在に支持するとともに、一端に前記プレスバネの先端が接続され、かつ他端に前記第１カムフォロアが設けられており、前記第１カムフォロアが前記第１カムの凸状部との当接時に押し出されることにより前記プレスバネを伸張するように前記プレスバネの先端を移動させるとともに前記プレスローラを前記ドラムから離間させるプレスレバーと、
第２主要円部と前記第２主要円部の外周面から凹む凹状部とを有しており、前記第２主要円部の中心を軸に前記第１カムと連動して回転する第２カムと、
前記第２カムの前記第２主要円部又は前記凹状部の外周面に当接しながら移動する第２カムフォロアと、
一端に前記プレスバネの基端が接続され、かつ他端に前記第２カムフォロアが設けられており、前記第２カムフォロアが前記第２カムの凹状部との当接時に落ち込むことにより前記プレスバネの基端を前記プレスバネの先端に向けて移動させるバネ調整用レバーと、を備え、
前記第１カムフォロアが、前記第１カムの凸状部の頂部に当接する際、前記第２カムフォロアが、前記第２カムの凹状部の内部に当接する
ことを特徴とするプレスローラ回避装置。
【請求項２】
前記第１カムの凸状部に沿って移動する前記第１カムフォロアが前記第１カムの凸状部の頂部を越えるタイミングと、前記第２カムの凹状部に沿って移動する前記第２カムフォロアが前記第２カムの凹状部の底部を越えるタイミングとが、異なる
ことを特徴とする請求項１に記載のプレスローラ回避装置。
【請求項３】
前記第１カムの凸状部の頂部から、前記第１カムの凸状部の回転方向後方端部までの第１後方距離と、前記第１カムフォロアが前記第１カムの凸状部の頂部に到達時の前記第２カムフォロアの位置から、前記第２カムの凹状部の回転方向後方端部までの第２後方距離とが、異なる
ことを特徴とする請求項１に記載のプレスローラ回避装置。
【発明の詳細な説明】
【技術分野】
【０００１】
本発明は、孔版印刷装置に設けられるプレスローラ回避装置に関する。
【背景技術】
【０００２】
従来、製版したマスタをクランプ部により固定したドラムと、マスタに印刷用紙を押圧するプレスローラとを備える孔版印刷装置では、プレスローラが、ドラム回転時にクランプ部と干渉することを防止するため、プレスローラ回避装置が設けられている（例えば、特許文献１参照）。
【０００３】
プレスローラ回避装置は、ドラムに同期して回転する凸状部を有するカムと、プレスローラを回転可能に支持するプレスレバーと、プレスレバーに設けられ、カムの外周面に当接しながら移動するカムフォロアと、プレスレバーに接続され、プレスレバーを付勢することでプレスローラをドラムに押圧するプレスバネとを備えている。
【０００４】
プレスローラ回避装置では、カムの回転に伴ってカムの外周面をカムフォロアが移動することによりプレスレバーが揺動し、これによりプレスバネも伸縮を繰り返す。また、このプレスレバーの動作により、クランプ部がプレスローラの押圧位置を通過する期間、プレスレバーに支持されるプレスローラをドラムから離間させて、プレスローラをクランプ部から回避させている。
【先行技術文献】
【特許文献】
【０００５】
【特許文献１】特開平６−２４７０２８
【発明の概要】
【発明が解決しようとする課題】
【０００６】
ところで、プレスローラをクランプ部からより確実に回避させるためには、プレスローラの回避量を多くすることが望まれるが、このためには、カムの凸状部の突出量（リフト量）をより大きくする必要がある。
【０００７】
しかしながら、カムの凸状部の突出量が大きくなると、プレスバネの伸張量が大きくなるため、ドラムが回転する度に伸縮を繰り返すプレスバネが、疲労により劣化しやすくなるという問題がある。
【０００８】
本発明は、このような状況に鑑みてなされたもので、カムの凸状部の突出量を大きくしても、プレスバネの劣化を抑制することが可能なプレスローラ回避装置を提供することを目的とする。
【課題を解決するための手段】
【０００９】
上記目的を達成するため、本発明に係るプレスローラ回避装置の第１の特徴は、マスタが巻装されるドラムと、前記マスタを前記ドラムに固定するためのクランプ部と、前記ドラムに印刷用紙を押圧するプレスローラと、を備える孔版印刷装置に設けられ、前記プレスローラの押圧位置を前記クランプ部が通過する期間、前記プレスローラを前記ドラムから離間させるプレスローラ回避装置であって、第１主要円部と前記第１主要円部の外周面から突出する凸状部とを有しており、前記第１主要円部の中心を軸に前記ドラムの回転に連動して回転する第１カムと、前記第１カムの前記第１主要円部又は前記凸状部の外周面に当接しながら移動する第１カムフォロアと、所定のバネ力により前記第１カムフォロアを前記第１カムの外周面に付勢するとともに、前記プレスローラを前記ドラムに付勢するプレスバネと、前記プレスローラを回転自在に支持するとともに、一端に前記プレスバネの先端が接続され、かつ他端に前記第１カムフォロアが設けられており、前記第１カムフォロアが前記第１カムの凸状部との当接時に押し出されることにより前記プレスバネを伸張するように前記プレスバネの先端を移動させるとともに前記プレスローラを前記ドラムから離間させるプレスレバーと、第２主要円部と前記第２主要円部の外周面から凹む凹状部とを有しており、前記第２主要円部の中心を軸に前記第１カムと連動して回転する第２カムと、前記第２カムの前記第２主要円部又は前記凹状部の外周面に当接しながら移動する第２カムフォロアと、一端に前記プレスバネの基端が接続され、かつ他端に前記第２カムフォロアが設けられており、前記第２カムフォロアが前記第２カムの凹状部との当接時に落ち込むことにより前記プレスバネの基端を前記プレスバネの先端に向けて移動させるバネ調整用レバーと、を備え、前記第１カムフォロアが、前記第１カムの凸状部の頂部に当接する際、前記第２カムフォロアが、前記第２カムの凹状部の内部に当接することにある。
【００１０】
本発明に係るプレスローラ回避装置の第２の特徴は、上記特徴に係り、前記第１カムの凸状部に沿って移動する前記第１カムフォロアが前記第１カムの凸状部の頂部を越えるタイミングと、前記第２カムの凹状部に沿って移動する前記第２カムフォロアが前記第２カムの凹状部の底部を越えるタイミングとが、異なることにある。
【００１１】
本発明に係るプレスローラ回避装置の第３の特徴は、上記特徴に係り、前記第１カムの凸状部の頂部から、前記第１カムの凸状部の回転方向後方端部までの第１後方距離と、前記第１カムフォロアが前記第１カムの凸状部の頂部に到達時の前記第２カムフォロアの位置から、前記第２カムの凹状部の回転方向後方端部までの第２後方距離とが、異なることにある。
【発明の効果】
【００１２】
本発明に係るプレスローラ回避装置の第１の特徴によれば、プレスレバーは、第１カムフォロアが第１カムの凸状部に当接する際に押し出されることによりプレスバネを伸張するようにプレスバネの先端を移動させるとともにプレスローラをドラムから離間させる。
【００１３】
また、バネ調整用レバーは、第２カムフォロアが第２カムの凹状部との当接時に落ち込むことによりプレスバネの基端をプレスバネの先端に向けて移動させる。そして、第１カムフォロアが、第１カムの凸状部の頂部に当接する際、第２カムフォロアが、第２カムの凹状部の内部に当接する。
【００１４】
これにより、少なくとも第１カムフォロアが第１カムの凸状部の頂部に当接する際、第２カムフォロアが第２カムの凹状部の内部に当接するため、第２カムフォロアが第２カムの凹状部に落ち込むことによって、プレスバネの基端がプレスバネの先端に向けて移動する。つまり、プレスバネの基端がプレスバネを縮小するように移動する。よって、第１カムフォロアが第１カムの凸状部の頂部に当接する際に最も長くなるプレスバネの伸張量を抑制できるため、カムの凸状部の突出量を大きくしても、プレスバネの伸張量の増加に起因するプレスバネの劣化を抑制することが可能になる。
【００１５】
本発明に係るプレスローラ回避装置の第２の特徴によれば、第１カムフォロアが第１カムの凸状部の頂部を越えるタイミングと、第２カムフォロアが第２カムの凹状部の底部を越えるタイミングとが、異なる。
【００１６】
例えば、第１カムフォロアが第１カムの凸状部の頂部を越えるタイミングが、第２カムフォロアが第２カムの凹状部の底部に向かうタイミングである場合、第１カムフォロアが第１カムの凸状部の頂部を越える際のプレスバネの伸張量を縮小できる。これにより、第１カムフォロアが第１カムの凸状部の頂部を越える際に、プレスバネの付勢力を一層抑制できるため、プレスバネを伸張させることによる負荷増大に起因する騒音の発生を一層低減できる。
【００１７】
一方、例えば、第１カムフォロアが第１カムの凸状部の頂部を越えるタイミングが、第２カムフォロアが第２カムの凹状部の底部を既に越えたタイミングである場合、第１カムフォロアが第１カムの凸状部の頂部を越えた際のプレスバネの伸張量の低下を抑制できる。これにより、第１カムフォロアが第１カムの凸状部の頂部を越える際に、プレスバネの付勢力を確保できるため、ドラムが高速に回転する場合であっても、第１カムフォロアが第１カムから跳ね上がることを抑制できる。
【００１８】
このように、第１カムフォロアが第１カムの凸状部の頂部を越えるタイミングと、第２カムフォロアが第２カムの凹状部の底部を越えるタイミングとを相違させることで、プレスバネの付勢力を調整できる。
【００１９】
本発明に係るプレスローラ回避装置の第３の特徴によれば、第１カムの凸状部の頂部から、第１カムの凸状部の回転方向後方端部までの第１後方距離と、第１カムフォロアが第１カムの凸状部の頂部に到達時の第２カムフォロアの位置から、第２カムの凹状部の回転方向後方端部までの第２後方距離とが、異なる。
【００２０】
例えば、第１後方距離が、第２後方距離よりも小さい場合、第１カムフォロアが第１カムの凸状部の頂部を超えても、第２カムフォロアが第２カムの凹状部の底部近傍に存在するため、プレスバネの伸張量が積極的に縮小する。これにより、プレスバネの付勢力Ｆ４が抑制されるため、第１カムフォロアが第１カムの凸状部の頂部を降りる際にギアバックラッシ等に起因する騒音の発生を一層低減できる。
【００２１】
一方、第１後方距離が、第２後方距離よりも大きい場合、第１カムフォロアが第１カムの凸状部の頂部を越える際に、第２カムフォロアが第２カムの凹状部の底部を既に越えているため、プレスバネの伸張量が積極的に拡大する。これにより、第１カムフォロアが第１カムの凸状部の頂部を降りる際にプレスバネの付勢力Ｆ４を増大できるため、ドラムが高速に回転する場合であっても、第１カムフォロアが第１カムの凸状部から跳ね上がることを抑制できる。
【図面の簡単な説明】
【００２２】
【図１】本発明の実施例１に係るプレスローラ回避装置の概略構成を示す斜視図である。
【図２】本発明の実施例１に係るプレスローラ回避装置の概略構成を示す側面図である。
【図３】本発明の実施例１に係る第１カムを説明するための側面図である。
【図４】本発明の実施例１に係る第２カムを説明するための側面図である。
【図５】本発明の実施例１に係るプレスローラ回避装置の動作を説明するための説明図である。
【図６】本発明の実施例１の変形例１に係るプレスローラ回避装置の動作を説明するための説明図である。
【図７】本発明の実施例１の変形例１に係るプレスローラ回避装置の動作を説明するための説明図である。
【図８】本発明の実施例１の変形例２に係るプレスローラ回避装置の動作を説明するための説明図である。
【図９】本発明の実施例１の変形例２に係るプレスローラ回避装置の動作を説明するための説明図である。
【発明を実施するための形態】
【００２３】
以下、本発明の実施例に係るプレスローラ回避装置について、図面を参照しながら詳細に説明する。また、以下に示す実施例は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００２４】
［実施例１］
図１は、本発明の実施例１に係るプレスローラ回避装置１の概略構成を示す斜視図である。図２は、プレスローラ回避装置１の概略構成を示す側面図である。
【００２５】
本発明の実施例１に係るプレスローラ回避装置１は、マスタＭが巻装されるドラム１０と、マスタＭをドラム１０に固定するためのクランプ部１１と、ドラム１０に印刷用紙を押圧するプレスローラ１２と、を備える孔版印刷装置に設けられる。
【００２６】
ドラム１０は、回転軸１０ａを備えており、回転軸１０ａが、駆動モータＸ１に連結されている。ドラム１０は、駆動モータＸ１の駆動力により回転する回転軸１０ａに連動して回転する。
【００２７】
プレスローラ回避装置１は、プレスローラ１２の押圧位置をクランプ部１１が通過する期間、プレスローラ１２をドラム１０から離間させる。
【００２８】
具体的に、図１に示すように、プレスローラ回避装置１は、第１カム１３と、第１カムフォロア１４と、プレスバネ１５と、プレスレバー１６と、第２カム２１と、第２カムフォロア２３と、バネ調整用レバー２４とを備える。なお、プレスローラ回避装置１には、他にも部材を備えているが、他の部材については、説明を省略する。
【００２９】
第１カム１３は、第１主要円部１３ａと、第１主要円部１３ａの外周面から突出する凸状部１３ｂとを有する。第１カム１３は、第１主要円部１３ａの中心を軸にドラム１０の回転に連動して回転する。具体的に、第１カム１３は、第１主要円部１３ａの中心に位置するドラム１０の回転軸１０ａを中心に、ドラム１０の回転に連動して回転方向Ｒ１に回転する。
【００３０】
第１カムフォロア１４は、第１カム１３の第１主要円部１３ａ又は凸状部１３ｂの外周面に当接しながら移動する。
【００３１】
プレスバネ１５は、所定長に延ばされることにより所定のバネ力に調整された状態で、取り付けられている。プレスバネ１５は、所定のバネ力により第１カムフォロア１４を第１カム１３の外周面に付勢するとともに、プレスローラ１２をドラム１０に付勢する。
【００３２】
プレスレバー１６は、プレスローラ１２を回転自在に支持する。具体的に、プレスレバー１６には、プレスローラ１２の回転軸１２ａが回転可能に取り付けられている。
【００３３】
プレスレバー１６は、Ｌ字状のプレートからなる。プレスレバー１６は、一端１６ａと他端１６ｂとを有しており、一端１６ａにプレスバネ１５の先端１５ａが接続され、かつ他端１６ｂに第１カムフォロア１４が設けられている。
【００３４】
プレスレバー１６は、第１カムフォロア１４が第１カム１３の凸状部１３ｂとの当接時に押し出されることにより、プレスバネ１５を伸張するようにプレスバネ１５の先端１５ａを移動させるとともに、プレスローラ１２をドラム１０から離間させる。
【００３５】
具体的に、図２に示すように、プレスレバー１６は、第１カムフォロア１４が矢印Ａ１の方向に押し出されることにより、プレスバネ１５の先端１５ａを矢印Ｓの方向に移動させる。
【００３６】
そして、プレスレバー１６は、プレスバネ１５の付勢力に抗して、プレスローラ１２の回転軸１２ａを矢印Ａ２の方向に回転させることにより、プレスローラ１２をドラム１０から離間させる。
【００３７】
第２カム２１は、第２主要円部２１ａと第２主要円部２１ａの外周面から凹む凹状部２１ｂとを有する。
【００３８】
第２カム２１は、第２主要円部２１ａの中心を軸に第１カム１３と連動して回転する。具体的に、第２カム２１は、第２主要円部２１ａの中心に位置する回転軸２２を備える。
【００３９】
回転軸２２は、駆動モータＸ２に連結されている。駆動モータＸ２は、第１カム１３及びドラム１０を回転駆動する駆動モータＸ１と同期しながら回転駆動する。これにより第２カム２１の回転軸２２は、第１カム１３と同期しながら、回転方向Ｒ２に回転する。つまり、第２カム２１の回転速度（角速度）と、第１カム１３の回転速度（角速度）とが、等しくなるように設定されている。
【００４０】
第２カムフォロア２３は、第２カム２１の第２主要円部２１ａ又は凹状部２１ｂの外周面に当接しながら移動する。また、第１カムフォロア１４が、第１カム１３の凸状部１３ｂの頂部Ｐに当接する際、第２カムフォロア２３が、第２カム２１の凹状部２１ｂの内部に当接する。具体的には、第２カムフォロア２３が、第２カム２１の凹状部２１ｂの外周面に当接する。なお、第１カムフォロア１４と第２カムフォロア２３との位置関係の詳細については、後述する（図５参照）。
【００４１】
バネ調整用レバー２４は、Ｌ字状のプレートからなる。バネ調整用レバー２４は、一端２４ａと他端２４ｂとを有しており、一端２４ａにプレスバネ１５の基端１５ｂが接続され、かつ他端２４ｂに第２カムフォロア２３が設けられている。
【００４２】
バネ調整用レバー２４は、第２カムフォロア２３が第２カム２１の凹状部２１ｂとの当接時に落ち込むことにより、プレスバネ１５を縮小するようにプレスバネ１５の基端１５ｂを移動させる。
【００４３】
具体的に、図２に示すように、バネ調整用レバー２４は、第２カムフォロア２３が矢印Ｂ１の方向に落ち込むことにより、回転軸２５を中心に回転して、他端２４ｂに接続されるプレスバネ１５の基端１５ｂを矢印Ｓの方向に移動させる。このバネ調整用レバー２４の動作により、プレスバネ１５の基端１５ｂが、プレスバネ１５の先端１５ａに追従するように移動する。
【００４４】
＜第１カム及び第２カムの構成＞
次に、第１カム１３と第２カム２１との構成について説明する。図３は、第１カム１３の構成を示す側面図であり、図４は、第２カム２１の構成を示す側面図である。
【００４５】
図３に示すように、第１カム１３は、作用角αの範囲に凸状部１３ｂを備えている。凸状部１３ｂの突出量Ｈ１（リフト量）は、クランプ部１１を確実に回避できるように設定される。
【００４６】
また、図４に示すように、第２カム２１は、作用角βの範囲に凹状部２１ｂを備えている。
【００４７】
作用角βは、作用角αと同じ角度に設定されている。なお、作用角βは、必ずしも作用角αと同じ角度に設定されなくてもよい。例えば、作用角βは、作用角αよりも小さい角度に設定されてもよいし、大きい角度に設定されてもよい。
【００４８】
凹状部２１ｂの凹み量Ｈ２は、凸状部１３ｂの突出量Ｈ１と等しくなるように設定されている。なお、凹状部２１ｂの凹み量Ｈ２は、凸状部１３ｂの突出量Ｈ１よりも小さく設定されてもよい。
【００４９】
＜作用及び効果＞
以上のように、本発明の実施例１に係るプレスローラ回避装置１では、プレスレバー１６は、第１カムフォロア１４が第１カム１３の凸状部１３ｂに当接する際に押し出されることにより、プレスバネ１５を伸張するようにプレスバネ１５の先端１５ａを移動させるとともに、プレスローラ１２をドラム１０から離間させる。
【００５０】
また、バネ調整用レバー２４は、第２カムフォロア２３が第２カム２１の凹状部２１ｂとの当接時に落ち込むことによりプレスバネ１５の基端１５ｂをプレスバネ１５の先端１５ａに向けて移動させる。そして、第１カムフォロア１４が、第１カム１３の凸状部１３ｂの頂部Ｐに当接する際、第２カムフォロア２３が、第２カム２１の凹状部２１ｂの内部に当接する。
【００５１】
これにより、少なくとも第１カムフォロア１４が、第１カム１３の凸状部１３ｂの頂部Ｐに当接する際、第２カムフォロア２３が、第２カム２１の凹状部２１ｂの内部に当接するため、第２カムフォロア２３が第２カム２１の凹状部２１ｂに落ち込むことによって、プレスバネ１５の基端１５ｂがプレスバネ１５の先端１５ａに向けて移動する。よって、第１カムフォロア１４が第１カム１３の凸状部１３ｂの頂部Ｐに当接する際に、最も長くなるプレスバネ１５の伸張量を抑制できるため、第１カム１３の凸状部１３ｂの突出量を大きくしても、プレスバネ１５の伸張量の増加に起因するプレスバネ１５の劣化を抑制することが可能になる。
【００５２】
ここで、図５には、第１カム１３の外周面を移動する第１カムフォロア１４と、第２カム２１の外周面を移動する第２カムフォロア２３との位置関係が示されている。なお、図５に示すプレスバネ１５の長さは、第１カムフォロア１４と第２カムフォロア２３との位置に応じたプレスバネ１５の伸張量のイメージを表している。
【００５３】
また、図５において、右方向は、第１カム１３及び第２カム２１の回転に応じて、第１カムフォロア１４及び第２カムフォロア２３が移動する方向であり、左方向は、第１カム１３及び第２カム２１の回転方向である。また、図５では、第１カム１３及び第２カム２１の位置によって変化するプレスバネ１５による付勢力Ｆ１〜Ｆ４が、矢印によって示されており、付勢力Ｆ１〜Ｆ４が大きくなるほど、矢印の長さが長くなるにように表されている。
【００５４】
図５に示すように、実施例１に係るプレスローラ回避装置１では、第１カムフォロア１４が凸状部１３ｂに沿って移動する間、第２カムフォロア２３も凹状部２１ｂの内部を移動する。
【００５５】
このように、プレスローラ回避装置１では、第１カム１３の凸状部１３ｂの回転方向後方端部Ｅｂ１から回転方向前方端部Ｅｆ１までの区間Ａと、第１カム１３の凸状部１３ｂの回転方向前方端部Ｅｆ１から頂部Ｐまでの区間Ｂと、第１カム１３の凸状部１３ｂの頂部Ｐから回転方向後方端部Ｅｂ１までの区間Ｃとのそれぞれにおいて、プレスバネ１５の基端１５ｂがプレスバネ１５の先端１５ａの移動に追従して移動するようになる。
【００５６】
よって、プレスバネ１５の伸張量の変動が抑制されるできるため、第１カム１３の凸状部１３ｂの突出量を大きくしても、プレスバネ１５の伸張量の増加に起因するプレスバネ１５の劣化を抑制することが可能になる。さらに、プレスバネ１５による付勢力Ｆ１〜Ｆ４も変動しにくくなるため、駆動モータＸ１〜Ｘ２に与える負荷変動も抑制できる。
【００５７】
［変形例１］
次いで、本発明の実施例１に係るプレスローラ回避装置１の変形例１について説明する。
【００５８】
ここで、上述した実施例１では、第１カムフォロア１４が第１カム１３の凸状部１３ｂを移動するタイミングと、第２カムフォロア２３が第２カム２１の凹状部２１ｂを移動するタイミングとが、同期している場合を説明したが、これに限定されるものではない。
【００５９】
例えば、第１カムフォロア１４が第１カム１３の凸状部１３ｂを移動するタイミングと、第２カムフォロア２３が第２カム２１の凹状部２１ｂを移動するタイミングとが、ずれていてもよい。
【００６０】
変形例１では、第１カム１３の凸状部１３ｂに沿って移動する第１カムフォロア１４が第１カム１３の凸状部１３ｂの頂部Ｐを越えるタイミングＴＰと、第２カム２１の凹状部２１ｂに沿って移動する第２カムフォロア２３が第２カム２１の凹状部２１ｂの底部Ｂｔを越えるタイミングＴＢとが、異なる。
【００６１】
なお、変形例１では、第１カムフォロア１４のタイミングＴＰと第２カムフォロア２３のタイミングＴＢが異なる以外、第１カム１３の凸状部１３ｂの形状や第２カム２１の凹状部２１ｂの形状など、他の構成は実施例１と同様である。
【００６２】
ここで、図６には、変形例１に係るプレスローラ回避装置１の動作の一例が示されている。例えば、図６に示すように、第１カムフォロア１４が第１カム１３に沿って移動する期間が、第２カムフォロア２３が第２カム２１に沿って移動する期間よりも所定期間（所定位相）だけ進んでおり、第１カムフォロア１４が第１カム１３の凸状部１３ｂの頂部Ｐを越えるタイミングＴＰが、第２カムフォロア２３が第２カム２１の凹状部２１ｂの底部Ｂｔを越えるタイミングＴＢよりも期間ＤＡだけ早くてもよい。
【００６３】
図６に示すように動作するプレスローラ回避装置１では、タイミングＴＰが、タイミングＴＢよりも早いため、第１カムフォロア１４が第１カム１３の凸状部１３ｂの頂部Ｐを越える際のプレスバネ１５の伸張量を抑制できる。よって、第１カムフォロア１４が第１カム１３の凸状部１３ｂの頂部Ｐを越える際に、プレスバネ１５の付勢力Ｆ４を一層抑制できるため、プレスバネを伸張させることによる負荷増大に起因する騒音の発生を一層低減できる。
【００６４】
また、図７には、変形例１に係るプレスローラ回避装置１の動作の他の例が示されている。例えば、図７に示すように、第１カムフォロア１４が第１カム１３に沿って移動する期間が、第２カムフォロア２３が第２カム２１に沿って移動する期間よりも所定期間（所定位相）だけ遅れており、第１カムフォロア１４が第１カム１３の凸状部１３ｂの頂部Ｐを越えるタイミングＴＰが、第２カムフォロア２３が第２カム２１の凹状部２１ｂの底部Ｂｔを越えるタイミングＴＢよりも期間ＤＢだけ遅くてもよい。
【００６５】
図７に示すように動作するプレスローラ回避装置１では、タイミングＴＰが、タイミングＴＢよりも遅いため、プレスバネ１５の伸張量を縮小させるタイミングを遅くできる。これにより、第１カムフォロア１４が第１カム１３の凸状部１３ｂの頂部Ｐを越えた際のプレスバネ１５の伸張量の低下を抑制できる。よって、第１カムフォロア１４が第１カム１３の凸状部１３ｂの頂部Ｐを越える際に、プレスバネ１５の付勢力Ｆ４を確保できるため、ドラム１０が高速に回転する場合であっても、第１カムフォロア１４が第１カム１３から跳ね上がることを抑制できる。
【００６６】
また、図７に示すように動作するプレスローラ回避装置１では、第１カムフォロア１４が第１カム１３の凸状部１３ｂの頂部Ｐに至るまでのプレスバネ１５の付勢力Ｆ２を抑制できるため、駆動モータＸ１に与える負荷の増加も抑制できる。
【００６７】
［変形例２］
次いで、本発明の実施例１に係るプレスローラ回避装置１の変形例２について説明する。
【００６８】
変形例２では、第１カム１３の凸状部１３ｂの頂部Ｐから、第１カム１３の凸状部１３ｂの回転方向後方端部Ｅｂ１までの第１後方距離Ｌ１と、第１カムフォロア１４が第１カム１３の凸状部１３ｂの頂部Ｐに到達時の第２カムフォロア２３の位置Ｐ２３から、第２カム２１の凹状部２１ｂの回転方向後方端部Ｅｂ２までの第２後方距離Ｌ２とが、異なる。なお、第１後方距離Ｌ１は、回転方向Ｒ１における周方向距離であり、第２後方距離Ｌ２は、回転方向Ｒ２における周方向距離である。
【００６９】
ここで、図８には、変形例２に係るプレスローラ回避装置１の動作の一例が示されている。例えば、図８に示すように、第１後方距離Ｌ１が、第２後方距離Ｌ２よりも小さくてもよい。この場合、第１カム１３の凸状部１３ｂの作用角αは、第２カム２１の凹状部２１ｂの作用角β１よりも小さい。すなわち、第１カム１３の凸状部１３ｂの回転方向Ｒ１における長さが、第２カム２１の凹状部２１ｂの回転方向Ｒ２における長さよりも小さい。
【００７０】
図８に示すように動作するプレスローラ回避装置１では、第１後方距離Ｌ１が、第２後方距離Ｌ２よりも小さい。このため、第１カムフォロア１４が第１カム１３の凸状部１３ｂの頂部Ｐを越えても、第２カムフォロアが第２カムの凹状部の底部近傍に存在するため、プレスバネ１５の伸張量が積極的に縮小する。これにより、プレスバネ１５の付勢力Ｆ４が抑制されるため、第１カムフォロア１４が第１カム１３の凸状部１３ｂの頂部Ｐを降りる際にギアバックラッシ等に起因する騒音の発生を一層低減できる。
【００７１】
なお、図８に示す例では、第１カム１３の凸状部１３ｂの回転方向前方端部Ｅｆ１から、第１カム１３の凸状部１３ｂの頂部Ｐまでの第１前方距離Ｌ３と、第２カム２１の凹状部２１ｂの回転方向前方端部Ｅｆ２から第２カムフォロア２３の位置Ｐ２３までの第２前方距離Ｌ４とが、等しくなっている。
【００７２】
また、図８に示す例では、区間Ａから区間Ｂにわたって、第１カムフォロア１４が移動する期間は、第２カムフォロア２３が移動する期間と同期する。このため、プレスバネ１５の伸張量も安定し、プレスバネ１５の付勢力も安定させることができる。
【００７３】
一方、図９には、変形例２に係るプレスローラ回避装置１の動作の他の例が示されている。例えば、図９に示すように、第１後方距離Ｌ１が、第２後方距離Ｌ２よりも大きくてもよい。この場合、第１カム１３の凸状部１３ｂの作用角αは、第２カム２１の凹状部２１ｂの作用角β２よりも大きい。すなわち、第１カム１３の凸状部１３ｂの回転方向Ｒ１における長さが、第２カム２１の凹状部２１ｂの回転方向Ｒ２における長さよりも大きい。
【００７４】
図９に示すように動作するプレスローラ回避装置１では、第１後方距離Ｌ１が、第２後方距離Ｌ２よりも大きい。このため、第１カムフォロア１４が第１カム１３の凸状部１３ｂの頂部Ｐを越える際に、第２カムフォロアが第２カムの凹状部の底部を既に越えているため、プレスバネの伸張量が積極的に拡大する。これにより、第１カムフォロア１４が第１カムの凸状部１３ｂの頂部Ｐを降りる際に、プレスバネ１５の付勢力Ｆ４を増大できるため、ドラム１０が高速に回転する場合であっても、第１カムフォロア１４が第１カム１３の凸状部１３ｂから跳ね上がることを抑制できる。
【００７５】
なお、図９に示す例においても、第１カム１３の凸状部１３ｂの回転方向前方端部Ｅｆ１から、第１カム１３の凸状部１３ｂの頂部Ｐまでの第１前方距離Ｌ３と、第２カム２１の凹状部２１ｂの回転方向前方端部Ｅｆ２から第２カムフォロア２３の位置Ｐ２３までの第２前方距離Ｌ４とが、等しくなる。
【００７６】
また、図９に示す例においても、区間Ａから区間Ｂにわたって、第１カムフォロア１４が移動する期間は、第２カムフォロア２３が移動する期間と同期する。このため、プレスバネ１５の伸張量も安定し、プレスバネ１５の付勢力も安定させることができる。
【００７７】
［本発明のその他の実施形態］
以上、上述の実施形態を用いて本発明について詳細に説明したが、当業者にとっては、本発明が本明細書中に説明した実施形態に限定されるものではないということは明らかである。
【００７８】
例えば、第１カムフォロア１４が第１カム１３に沿って移動する期間と、第２カムフォロア２３が第２カム２１に沿って移動する期間との間の差の制御を、駆動モータＸ１及び駆動モータＸ２との回転駆動を制御することにより実現してもよい。この場合、プレスローラ回避装置１は、例えば、ドラム１０が所定回転速度以上となる高速回転する場合に、図７に示すように所定期間（所定位相）だけ遅らせるように制御する駆動制御部（不図示）を備えていてもよい。
【００７９】
このように、本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【符号の説明】
【００８０】
１…プレスローラ回避装置
１０…ドラム
１１…クランプ部
１２…プレスローラ
１３…第１カム
１３ａ…第１主要円部
１３ｂ…凸状部
１４…第１カムフォロア
１５…プレスバネ
１６…プレスレバー
２１…第２カム
２１ａ…第２主要円部
２１ｂ…凹状部
２３…第２カムフォロア
２４…バネ調整用レバー
Ｐ…頂部
Ｂｔ…底部
Ｅｂ１…回転方向後方端部
Ｅｂ２…回転方向後方端部
Ｅｆ１…回転方向前方端部
Ｅｆ２…回転方向前方端部
【図１】
2017213706.tif 000003
【図２】
2017213706.tif 000004
【図３】
2017213706.tif 000005
【図４】
2017213706.tif 000006
【図５】
2017213706.tif 000007
【図６】
2017213706.tif 000008
【図７】
2017213706.tif 000009
【図８】
2017213706.tif 000010
【図９】
2017213706.tif 000011